(57)【要約】【課題】  カード類の検索と出し入れの容易性を確保し、しかも、閉蓋に際して蓋体がカード類に引っ掛かってしまうことのないカード類整理箱を提供すること。【解決手段】  収納されるカード類Ｃの高さよりも開口部１１の位置が低く設定されたケース本体１２と、ケース本体１２内に配置される仕切り部材１４と、開口部１１を閉塞する蓋体１５とを備えてカード類整理箱１０が構成されている。開口部１１の前後及び仕切り部材１４の前後には、位置規制部２５，３１が形成されており、位置規制部は、カード類が傾斜姿勢で収納されたときの上端位置をケース本体１２の側壁２１内面に沿う鉛直面から外側に突き出ることを規制するようになっている。【選択図】          図１
2006321155.tif 000002
【特許請求の範囲】
【請求項１】
上部に開口部が設けられているとともに、収納されるカード類の高さよりも開口部位置が低く設定されたケース本体を含むカード類整理箱において、
前記ケース本体の前後何れか一端側における開口部に位置規制部が設けられ、当該位置規制部は、カード類を傾斜姿勢で収納したときの上端がケース本体の側壁内面に沿う面から外側に突き出ることを規制することを特徴とするカード類整理箱。
【請求項２】
前記ケース本体内に着脱自在に装着される仕切り部材を含み、当該仕切り部材の前後何れか一端側に前記位置規制部を備えていることを特徴とする請求項１記載のカード類整理箱。
【請求項３】
前記位置規制部は、ケース本体の前後両端側に設けられていることを特徴とする請求項１又は２記載のカード類整理箱。
【請求項４】
前記開口部を閉塞する蓋体を更に含み、当該蓋体の周壁は、前記位置規制部の外面側に位置してケース本体を閉塞することを特徴とする請求項１，２又は３記載のカード類整理箱。
【請求項５】
前記仕切り部材は高さ抑制部を含み、当該高さ抑制部の上縁は、ケース本体の側壁上端の高さ位置に略一致することを特徴とする請求項１，２，３又は４記載のカード類整理箱。
【発明の詳細な説明】
【技術分野】
【０００１】
本発明はカード類整理箱に係り、更に詳しくは、カード類の検索と出し入れの容易性を確保することができるとともに、閉蓋する際に、カード類の上端部が蓋体の外側に位置して当該蓋体の閉蓋作業を妨げることがないカード類整理箱に関する。
【背景技術】
【０００２】
名刺等のカード類整理箱としては、図６に示されるように、上端に開口部６０が形成された箱状のケース本体６１と、このケース本体６１の上部に配置される蓋体６２とを備えた構成が知られている。ここで、ケース本体６１の側壁６４は、名刺Ｃの高さよりも若干低い高さに設定されているのが通常となっている。これは、多数枚の名刺をまとめて出し入れする際の作業性を良好に保つ必要性と、収納された名刺Ｃを一枚ずつ前後方向（図６中左右方向）に捲り操作して検索を行う際の検索容易性を確保する必要性のためである。
【０００３】
しかしながら、名刺Ｃは、傾いた姿勢でケース本体６１内に収納されるのが一般的であるため、蓋体６２でケース本体６１を閉塞するときに、側壁６４の上端よりも上方に突出しているカードＣの領域が蓋体６２の周壁下端に引っ掛かって外側に折れ曲がり、これにより、閉蓋操作を妨げてしまう、という不都合を招来する。
【０００４】
また、特許文献１には、複数の収納領域に区分可能な名刺整理箱が開示されている。
【０００５】
【特許文献１】特開平８−１１８８６８号公報
【発明の開示】
【発明が解決しようとする課題】
【０００６】
しかしながら、特許文献１に記載された名刺整理箱においても、前述した不都合を解消し得る具体的な構成は開示されていない。
【０００７】
［発明の目的］
本発明は、このような不都合に着目して案出されたものであり、その目的は、カード類の検索と出し入れの容易性を確保し、しかも、閉蓋に際して蓋体がカード類に引っ掛かってしまうことのないカード類整理箱を提供することにある。
【課題を解決するための手段】
【０００８】
前記目的を達成するため、本発明は、上部に開口部が設けられているとともに、収納されるカード類の高さよりも開口部位置が低く設定されたケース本体を含むカード類整理箱において、
前記ケース本体の前後何れか一端側における開口部に位置規制部が設けられ、当該位置規制部は、カード類を傾斜姿勢で収納したときの上端がケース本体の側壁内面に沿う面から外側に突き出ることを規制する、という構成を採っている。
【０００９】
本発明において、前記ケース本体内に着脱自在に装着される仕切り部材を含み、当該仕切り部材の前後何れか一端側に前記位置規制部を備える、という構成をとることができる。
【００１０】
また、前記位置規制部は、ケース本体の前後両端側に設けられる、という構成を採ることが好ましい。
【００１１】
更に、前記開口部を閉塞する蓋体を更に含み、当該蓋体の周壁は、前記位置規制部の外面側に位置してケース本体を閉塞するように構成することができる。
【００１２】
また、前記仕切り部材は高さ抑制部を含み、当該高さ抑制部の上縁は、ケース本体の側壁上端の高さ位置に略一致するように設けるとよい。
【００１３】
なお、本明細書において、「前」とは、特に明示しない限り、収納されたカード類を捲るときの手前側の方向について用いられ、「後」とは、その反対側の奥行き方向について用いられる。従って、ケース本体の「前後」とは、ケース本体の特定された部位、位置ないし方向ではなく、収納されるカード類の向きとの関係において特定される相対的な概念として用いられる。
【発明の効果】
【００１４】
本発明によれば、開口部に位置規制部が設けられているため、カード類が傾斜姿勢で収納されていても、カード類の上端部分は、位置規制部の内面側に接する状態に保たれる。つまり、位置規制部よりも外側にカード類の上端部分がはみ出てしまうことがない状態となる。従って、カード類整理箱を机上や引き出し内に置いた際に、ケース本体の側壁外面に密着する状態で他の文具類やファイル等の外部備品を配置しても、これにカードの上端部分が引っ掛かるようなおそれを確実に防止でき、カード類の損傷を回避することができる。
【００１５】
また、仕切り部材を含むタイプとした場合であっても、当該仕切り部材が位置規制部を備えた構成とされているため、複数列のカード収納領域としても、各列におけるカードと外部備品との引っ掛かりを防止できる。
【００１６】
更に、位置規制部がケース本体の前後両側に設けられている場合には、カード類の傾斜方向が前後何れであっても、外部備品との引っ掛かりを防止することができる。
【００１７】
また、蓋体を含む構成とした場合には、当該蓋体を閉蓋位置にセットする際に、蓋体の周壁下端部が、最も外側に位置するカード類の上端部を外側に折り曲げてしまうような引っ掛かりを確実に防止でき、閉蓋作業に支障をもたらすような不都合は生じない。
【発明を実施するための最良の形態】
【００１８】
以下、本発明の好ましい実施形態を図面を参照しながら説明する。
【００１９】
図１には、本実施形態に係るカード類整理箱の使用状態における概略斜視図が示され、図２には、カード類整理箱の分解斜視図が示されている。これらの図において、カード類整理箱１０は、上部に開口部１１を備えたケース本体１２と、このケース本体１２内に着脱自在に配置された仕切り部材１４と、開口部１１を閉塞する蓋体１５とを備えて構成されている。
【００２０】
ケース本体１２は、平面視略長方形状の箱状に形成されており、長手方向に沿う二箇所に仕切り部材１４が配置されてカード類としての名刺Ｃを第１ないし第３の領域Ａ１，Ａ２，Ａ３に分けて収納できるように構成されている。本実施形態では、特に限定されるものではないが、第１及び第２の領域Ａ１，Ａ２内の名刺Ｃは、その面がケース本体１２の長手方向に沿う向きで収納されており、第３の領域Ａ３内の名刺Ｃは、その面がケース本体１２の短寸幅方向に沿う向きで収納されている。ケース本体１２は、底壁２０と、当該底壁２０の外周部から上方に起立する側壁２１とにより構成されている。底壁２０の面内には、仕切り部材１４を適宜配置するためのスロット穴２０Ａが形成されている。また、開口部１１の位置を決定する側壁２１の高さは、名刺Ｃの高さよりも低く設定されており、名刺Ｃが傾斜姿勢で収納されていても、当該名刺Ｃの上部領域が開口部１１の位置よりも上方に位置して捲り操作による検索容易性や、名刺Ｃを全体的に掴んで出し入れする作業を容易に行えるようになっている。
【００２１】
前記開口部１１において、ケース本体１２の前後両側におけるコーナーには、突片からなる位置規制部２５が形成されている。この位置規制部２５は、板片状で平面視略Ｌ型をなしており、その上端位置は、収納された名刺Ｃの上端と同じ又は上方に位置する高さに設定され、ケース本体１２の側壁２１の外面より水平方向の外側に、名刺Ｃの上端部分が突き出ることを防止する設定とされている。
【００２２】
前記仕切り部材１４は、ケース本体１２の短寸幅方向に沿う側壁２１と略同一の幅を備えた仕切面３０と、この仕切面３０の側端上部にそれぞれ設けられた板片状の位置規制部３１，３１とにより構成されている。仕切面３０の上部両側と位置規制部３１は、ケース本体１２に形成された位置規制部２５と同一の高さ位置となるように設定されており、仕切面３０は、その上部両側を除く上縁が、開口部１１の高さ位置と同一に設定されて高さ抑制部３３として形成されている。なお、仕切面３０の下端部中央には突部３５が形成されており、当該突部３５が前記スロット穴２０Ａ内に緩やかに受容されるようになっている。なお、位置規制部３１の下端は、図４に示されるように、ケース本体１２の開口端縁に乗った状態とされ、これにより、仕切り部材１４自体の倒れ込みを防止してスロット穴２０Ａ内に位置する突部３５の折損を防止するようになっている。
【００２３】
前記蓋体１５は、平面視略長方形状の頂壁４０と、この頂壁４０の外周に連なる周壁４１とにより構成され、当該周壁４１の下端部が開口部１１に着座してケース本体１１を閉塞するように構成されている。ここで、周壁４１の下端部には、図２に示されるように、段部４１Ａが形成され、当該段部４１Ａがケース本体１２の側壁２１の上端部に形成された段部２１Ａ（図３参照）に嵌合するように構成されている。
【００２４】
本実施形態に係るカード類整理箱１０に名刺Ｃを収納して検索を行うとき、例えば、図１中第１の収納領域Ａ１に収納された名刺Ｃを検索するときは、これら名刺Ｃを前方すなわち手前側に一枚ずつ捲り操作して行うことができる。また、第１の収納領域Ａ１内の名刺Ｃを全体的に取り出すときは、最前部の名刺と最後部の名刺に指先を跨がせて摘み上げて行うことができる。これら検索及び取り出しは、開口部１１の高さが名刺Ｃの上端位置よりも低いので、側壁２１の存在を邪魔に感じることなく行うことができる。
【００２５】
第３の領域Ａ３に収納された名刺Ｃは、図１中左右方向を前後方向として検索を行うことができ、また、当該領域Ａ３内の名刺Ｃは、第１の領域Ａ１又はＡ２に収納された名刺Ｃと同様の要領で出し入れを行うことができる。この際、第３の領域Ａ３を形成する仕切り部材１４は、上端部に高さ抑制部３３が形成されているため、名刺の出し入れ作業を支障なく行うことができる。
【００２６】
また、蓋体１５でケース本体１１を閉塞する場合には、位置規制部２５，３１の存在により、第１ないし第３の領域Ａ１〜Ａ３における最後部の名刺Ｃが側壁２１の内面に沿う鉛直面から外側に突き出ることがないため、蓋体１５の周壁４１における下端部が名刺Ｃに引っ掛かってしまうことがなく、これにより、名刺Ｃに意図しない折り曲げ等をもたらすことなくスムースなる閉蓋操作を行うことができる。
【００２７】
従って、本実施形態によれば、カード類Ｃの検索容易性、出し入れ容易性及び蓋体１５による閉蓋容易性を良好に確保できる、という従来にない優れた効果を奏するカード類死整理箱を提供することができる。
【００２８】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２９】
例えば、前記実施形態では、第１ないし第３の領域Ａ１〜Ａ３を備えたケース本体１２を図示説明したが、本発明は、少なくとも一つの収納領域を備えたケース本体であればよい。この場合には、仕切り部材１４は不要となる。
【００３０】
また、前記実施形態では、ケース本体１２の前後両側に位置規制部２５を設けた場合を示したが、少なくとも何れか一方にあれば足りる。但し、前後両側に位置規制部２５を設けた場合には、名刺Ｃの傾斜方向が前後何れにあっても閉蓋時の蓋体１５との引っ掛かりを防止できる上で有利である。
【図面の簡単な説明】
【００３１】
【図１】実施形態に係るカード類整理箱の使用状態を示す概略斜視図。
【図２】前記カード類整理箱の分解斜視図。
【図３】図１のＡ−Ａ線に沿う矢視断面図。
【図４】図１のＢ−Ｂ線に沿う矢視断面図。
【図５】図１のＣ矢視図。
【図６】従来のカード類整理箱における不都合を説明するための断面図。
【符号の説明】
【００３２】
１０  カード類整理箱
１１  開口部
１２  ケース本体
１４  仕切り部材
１５  蓋体
２１  側壁
２５，３１  位置規制部
３３  高さ抑制部
４０  頂壁
４１  周壁
Ｃ  名刺（カード類）
【図１】
2006321155.tif 000003
【図２】
2006321155.tif 000004
【図３】
2006321155.tif 000005
【図４】
2006321155.tif 000006
【図５】
2006321155.tif 000007
【図６】
2006321155.tif 000008